(57)【要約】【課題】駆動回路部の発熱がＬＥＤを搭載した基板に伝導した場合に、基板内における温度分布の不均一化を防止できるＬＥＤ灯を実現する。【解決手段】表面に複数のＬＥＤ18を配置して成る環状のＬＥＤ基板16と、上記ＬＥＤ18を点灯駆動する駆動回路部24を備えると共に、上記ＬＥＤ基板16を透光性の前面カバー12で被覆して成る環型ＬＥＤ灯10であって、上記ＬＥＤ基板16の裏面と密接して配置されるカーボングラファイトより成る環状の熱拡散部材28を設けると共に、該熱拡散部材28及びＬＥＤ基板16と密接して配置される放熱部材20を設けた。【選択図】図１０
2015144069.tif 000002
【特許請求の範囲】
【請求項１】
表面に複数のＬＥＤを配置して成るＬＥＤ基板と、上記ＬＥＤを点灯駆動する駆動回路部を備えると共に、上記ＬＥＤ基板をカバー部材で被覆して成るＬＥＤ灯であって、上記ＬＥＤ基板の裏面と密接して配置される熱拡散部材を設けたことを特徴とするＬＥＤ灯。
【請求項２】
上記熱拡散部材及びＬＥＤ基板と密接して配置される放熱部材を設けたことを特徴とする請求項１に記載のＬＥＤ灯。
【請求項３】
上記熱拡散部材が、カーボングラファイト又はヒートパイプであることを特徴とする請求項１又は２に記載のＬＥＤ灯。
【請求項４】
上記駆動回路部は、平常時用駆動回路部と停電時用駆動回路部を備え、
上記平常時用駆動回路部は、交流電源から供給される交流電流を整流する整流部と、ＬＥＤに供給される電流を所定値の電流に制御する定電流制御部と、ＬＥＤに供給される電圧を所定値の電圧に変圧するトランスと、上記トランスから出力される交流電流を整流する整流部と、整流された直流電流を平滑する平滑部を有しており、
上記停電時用駆動回路部は、直流電源の電圧をＬＥＤ駆動用の所定値の電圧に変換して出力する定電圧制御部と、上記定電圧制御部から出力される電流を整流する整流部を有しており、上記定電圧制御部は、上記平常時用駆動回路部のＬＥＤ駆動電圧の電圧値が設定電圧値より小さい場合にＬＥＤ駆動用の電圧を出力するよう構成され、また、上記整流部で整流された直流電流を、平常時用駆動回路部の平滑部に出力するよう構成したことを特徴とする請求項１〜３の何れかに記載のＬＥＤ灯。
【請求項５】
上記駆動回路部は、平常時用駆動回路部と停電時用駆動回路部を備え、
上記平常時用駆動回路部は、交流電源から供給される交流電流を整流する整流部と、ＬＥＤに供給される電流を所定値の電流に制御する定電流制御部と、ＬＥＤに供給される電圧を所定値の電圧に変圧するトランスと、上記トランスから出力される交流電流を整流する整流部と、整流された直流電流を平滑する平滑部を有しており、
上記停電時用駆動回路部は、ＬＥＤを駆動する所定値の電流を出力する定電流制御部と、上記定電流制御部から出力される電流を整流する整流部を有しており、上記定電流制御部は、上記平常時用駆動回路部のＬＥＤ駆動電流の電流値が設定電流値より小さい場合にＬＥＤ駆動用の電流を出力するよう構成され、また、上記整流部で整流された直流電流を、平常時用駆動回路部の平滑部に出力するよう構成したことを特徴とする請求項１〜３の何れかに記載のＬＥＤ灯。
【発明の詳細な説明】
【技術分野】
【０００１】
この発明は、複数のＬＥＤ（Light Emitting Diode）を配置したＬＥＤ基板と、上記ＬＥＤを点灯駆動する駆動回路部を備え、上記ＬＥＤ基板を透光性のカバー部材で被覆して成るＬＥＤ灯に関する。
【背景技術】
【０００２】
近年、低消費電力・長寿命なＬＥＤを用いた照明が注目を浴び、家庭やオフィス等において、従来の高消費電力・低寿命な蛍光灯に代わるものとして、その普及が期待されている。
【０００３】
蛍光灯型のＬＥＤ灯の一例として、従来より環型（サークライン型）のＬＥＤ灯がある。斯かる環型のＬＥＤ灯は、表面に複数のＬＥＤを搭載した環状の基板と、上記ＬＥＤを点灯駆動する駆動回路部を有しており、上記ＬＥＤ搭載基板と駆動回路部を透光性のカバー部材で被覆して構成されている（例えば、特開２０１１−１７５８６５号公報参照）。
【先行技術文献】
【特許文献】
【０００４】
【特許文献１】特開２０１１−１７５８６５号公報
【発明の概要】
【発明が解決しようとする課題】
【０００５】
上記構造のＬＥＤ灯にあっては、駆動回路部を構成する発熱性の電子部品（例えばトランスや平滑コンデンサ等）等から高熱が発生し、熱発生箇所近傍のＬＥＤ搭載基板に熱が伝導することにより、環状の基板内において温度分布に不均一化を生じていた。
その結果、基板の高温部に搭載されたＬＥＤの劣化が、低温部に搭載されたＬＥＤよりも早く進行し、照度低下を招来していた。
【０００６】
本発明は、上記問題に鑑みてなされたものであり、その目的とするところは、駆動回路部の発熱がＬＥＤを搭載した基板に伝導した場合に、基板内における温度分布の不均一化を防止できるＬＥＤ灯を実現することにある。
【課題を解決するための手段】
【０００７】
上記目的を達成するため、本発明の請求項１に記載のＬＥＤ灯は、
表面に複数のＬＥＤを配置して成るＬＥＤ基板と、上記ＬＥＤを点灯駆動する駆動回路部を備えると共に、上記ＬＥＤ基板をカバー部材で被覆して成るＬＥＤ灯であって、上記ＬＥＤ基板の裏面と密接して配置される熱拡散部材を設けたことを特徴とする。
【０００８】
本発明の請求項２に記載のＬＥＤ灯は、請求項１に記載のＬＥＤ灯において、
上記熱拡散部材及びＬＥＤ基板と密接して配置される放熱部材を設けたことを特徴とする。
【０００９】
本発明の請求項３に記載のＬＥＤ灯は、請求項１又は２に記載のＬＥＤ灯において、
上記熱拡散部材が、カーボングラファイト又はヒートパイプであることを特徴とする。
【００１０】
本発明の請求項４に記載のＬＥＤ灯は、請求項１〜３の何れかに記載のＬＥＤ灯において、
上記駆動回路部は、平常時用駆動回路部と停電時用駆動回路部を備え、
上記平常時用駆動回路部は、交流電源から供給される交流電流を整流する整流部と、ＬＥＤに供給される電流を所定値の電流に制御する定電流制御部と、ＬＥＤに供給される電圧を所定値の電圧に変圧するトランスと、上記トランスから出力される交流電流を整流する整流部と、整流された直流電流を平滑する平滑部を有しており、
上記停電時用駆動回路部は、直流電源の電圧をＬＥＤ駆動用の所定値の電圧に変換して出力する定電圧制御部と、上記定電圧制御部から出力される電流を整流する整流部を有しており、上記定電圧制御部は、上記平常時用駆動回路部のＬＥＤ駆動電圧の電圧値が設定電圧値より小さい場合にＬＥＤ駆動用の電圧を出力するよう構成され、また、上記整流部で整流された直流電流を、平常時用駆動回路部の平滑部に出力するよう構成したことを特徴とする。
【００１１】
本発明の請求項５に記載のＬＥＤ灯は、請求項１〜３の何れかに記載のＬＥＤ灯において、
上記駆動回路部は、平常時用駆動回路部と停電時用駆動回路部を備え、
上記平常時用駆動回路部は、交流電源から供給される交流電流を整流する整流部と、ＬＥＤに供給される電流を所定値の電流に制御する定電流制御部と、ＬＥＤに供給される電圧を所定値の電圧に変圧するトランスと、上記トランスから出力される交流電流を整流する整流部と、整流された直流電流を平滑する平滑部を有しており、
上記停電時用駆動回路部は、ＬＥＤを駆動する所定値の電流を出力する定電流制御部と、上記定電流制御部から出力される電流を整流する整流部を有しており、上記定電流制御部は、上記平常時用駆動回路部のＬＥＤ駆動電流の電流値が設定電流値より小さい場合にＬＥＤ駆動用の電流を出力するよう構成され、また、上記整流部で整流された直流電流を、平常時用駆動回路部の平滑部に出力するよう構成したことを特徴とする。
【発明の効果】
【００１２】
本発明に係る請求項１に記載のＬＥＤ灯にあっては、ＬＥＤ基板の裏面と密接して配置される熱拡散部材を設けたので、駆動回路部から発生した熱がＬＥＤ基板に伝導した場合、上記熱拡散部材によって熱が速やかに拡散されるので、ＬＥＤ基板内における温度分布の不均一化を防止することができる。
【００１３】
また、本発明の請求項２に記載のＬＥＤ灯の如く、熱拡散部材及びＬＥＤ基板と密接して配置される放熱部材を設けた場合には、熱拡散部材で拡散させた熱やＬＥＤ自体から発生する熱を放熱部材を介して効率良く放熱することができる。
【００１４】
本発明の請求項４に記載のＬＥＤ灯にあっては、駆動回路部を構成する停電時用駆動回路部の定電圧制御部を、平常時用駆動回路部のＬＥＤ駆動電圧の電圧値が設定電圧値より小さい場合に、ＬＥＤ駆動用の電圧を出力するよう構成した。
従って、停電時用駆動回路部の定電圧制御部の設定電圧値を、平常時用駆動回路部のＬＥＤ駆動電圧の電圧値より低い所定値に設定しておくことにより、通常時は平常時用駆動回路部からの駆動電圧でＬＥＤを発光させることができると共に、停電時に平常時用駆動回路部のＬＥＤ駆動電圧が急低下して上記設定電圧値を下回ると、停電時用駆動回路部から駆動電圧が出力されてＬＥＤを発光させることができる。この結果、停電を検出する回路部を別途設けることなく、停電時にもＬＥＤ灯を点灯駆動させることができる。
また、停電時用駆動回路部の整流部で整流した直流電流を、平常時用駆動回路部の平滑部に出力するよう構成し、単一の平滑部を平常時用駆動回路部及び停電時用駆動回路部で共用しているので、部品点数の減少及び小型化を実現することができる。
【００１５】
本発明の請求項５に記載のＬＥＤ灯にあっては、駆動回路部を構成する停電時用駆動回路部の定電流制御部を、平常時用駆動回路部のＬＥＤ駆動電流の電流値が設定電流値より小さい場合に、ＬＥＤ駆動用の電流を出力するよう構成した。
従って、停電時用駆動回路部の定電流制御部の設定電流値を、平常時用駆動回路部のＬＥＤ駆動電流の電流値より低い所定値に設定しておくことにより、通常時は平常時用駆動回路部からの駆動電流でＬＥＤを発光させることができると共に、停電時に平常時用駆動回路部のＬＥＤ駆動電流が急低下して上記設定電流値を下回ると、停電時用駆動回路部から駆動電流が出力されてＬＥＤを発光させることができる。この結果、停電を検出する回路部を別途設けることなく、停電時にもＬＥＤ灯を点灯駆動させることができる。
また、停電時用駆動回路部の整流部で整流した直流電流を、平常時用駆動回路部の平滑部に出力するよう構成し、単一の平滑部を平常時用駆動回路部及び停電時用駆動回路部で共用しているので、部品点数の減少及び小型化を実現することができる。
【図面の簡単な説明】
【００１６】
【図１】本発明に係る環型ＬＥＤ灯を示す正面図
【図２】本発明に係る環型ＬＥＤ灯を示す背面図
【図３】本発明に係る環型ＬＥＤ灯を示す正面側斜視図
【図４】本発明に係る環型ＬＥＤ灯を示す背面側斜視図
【図５】本発明に係る環型ＬＥＤ灯の前面カバーを取り除いた状態を示す正面図
【図６】本発明に係る環型ＬＥＤ灯の背面カバーを取り除いた状態を示す背面図
【図７】本発明に係る環型ＬＥＤ灯の前面カバーを取り除いた状態を示す斜視図
【図８】本発明に係る環型ＬＥＤ灯を示す分解斜視図
【図９】本発明に係る環型ＬＥＤ灯の放熱部材を示す背面側斜視図
【図１０】図５のＡ−Ａ断面図
【図１１】本発明に係る環型ＬＥＤ灯の駆動回路部の構成を示すブロック図
【図１２】図１１の駆動回路部の変形例の構成を示すブロック図
【発明を実施するための形態】
【００１７】
以下、本発明に係るＬＥＤ灯を添付図面に基づき説明する。図１は、本発明に係る環型（サークライン型）のＬＥＤ灯10（以下、環型ＬＥＤ灯10）を示す正面図、図２は同背面図、図３は同正面側斜視図、図４は同背面側斜視図、図５は前面カバー12を取り除いた状態の環型ＬＥＤ灯10を示す正面図、図６は背面カバー14を取り除いた状態の環型ＬＥＤ灯10を示す背面図、図７は前面カバー12を取り除いた状態の環型ＬＥＤ灯10を示す斜視図、図８は本発明に係る環型ＬＥＤ灯10の分解斜視図、図９は環型ＬＥＤ灯10の放熱部材を示す背面側斜視図、図１０は図５のＡ−Ａ断面図である。
【００１８】
本発明に係る環型ＬＥＤ灯10は、透光性を有する樹脂等より成る環状の正面カバー12（図１、図８）と、樹脂等より成る円弧状の背面カバー14（図２、図８）を備えている。
また、図５及び図８に示すように、本発明の環型ＬＥＤ灯10は、上記前面カバー12に被覆される環状のＬＥＤ基板16を有しており、該ＬＥＤ基板16の表面には多数のＬＥＤ18が配置されている。上記ＬＥＤ18は直流電流の供給を受けて白色光を発光するものである。
尚、上記正面カバー12は、透光性のものに限らず、ＬＥＤ18からの光の照射を受けて自発光する非透光性の正面カバーを用いても良い。
【００１９】
さらに、本発明の環型ＬＥＤ灯10は、アルミニウム等より成る放熱部材20（図６、図８、図９、図１０）を有しており、該放熱部材20は、環状の放熱基板20ａと、該放熱基板20ａの背面の約２／３周に亘って放熱基板20ａ面から立設形成された多数の放熱フィン20ｂを備えている。
【００２０】
図６及び図１０に示すように、放熱フィン20ｂが形成されていない放熱基板20ａの背面には、後述する平滑コンデンサやトランス等の各種電子部品22を有する駆動回路部24が配置された回路基板26が接続されている。
尚、図４において、27は外部電源に接続される端子ピンである。
【００２１】
また、図８及び図１０に示すように、放熱部材20を構成する放熱基板20ａの前面には環状に凹溝20ｃが形成されており、該凹溝20ｃ内に環状の熱拡散部材28が配置されている。
上記熱拡散部材28は、その厚さ方向の熱伝導率よりも延在方向の熱伝導率が大きい熱伝導率異方性を有する材料・部材で構成されるものであり、本実施形態においてはカーボングラファイトで熱拡散部材22を構成している。
【００２２】
尚、上記カーボングラファイトに代えて、環状のヒートパイプを熱拡散部材28として好適に用いることができる。ヒートパイプは、密閉された銅や銅合金等より成る管体内部に純水等の作動液を封入したものであり、ヒートパイプの一部が加熱されると、加熱された高温部において作動液が蒸発−低温部へ蒸気が移動−蒸気が低温部で凝縮−凝縮した作動液が加熱部に移動という一連の相変化を通じて熱を速やかに拡散させる仕組みである。
【００２３】
環状の上記熱拡散部材28は、ＬＥＤ基板16の裏面と密接した状態で、環状のＬＥＤ基板16の全長（全周）に亘って配置されているものである（図８、図１０）。
また、環状の上記熱拡散部材28を、放熱部材20を構成する放熱基板20ａに形成した凹溝20ｃ内に配置した結果、放熱基板20ａは、上記熱拡散部材28と密接した状態で、環状の熱拡散部材28の全長（全周）に亘って配置されていると共に、図１０に示すように、放熱部材20の放熱基板20ａは、ＬＥＤ基板16の裏面とも密接した状態で配置されている。
【００２４】
上記構成を有する本発明の環型ＬＥＤ灯10にあっては、環状の熱拡散部材28をＬＥＤ基板16の裏面と密接した状態で配置しているので、駆動回路部24から発生した熱がＬＥＤ基板16に伝導した場合、上記熱拡散部材28によって熱が速やかに拡散されるので、ＬＥＤ基板16内における温度分布の不均一化を防止することができる。
【００２５】
また、本発明の環型ＬＥＤ灯10にあっては、放熱部材20の放熱基板20ａを、上記熱拡散部材28及びＬＥＤ基板16と密接した状態で配置しているので、熱拡散部材28で拡散させた熱やＬＥＤ18自体から発生する熱を放熱部材20の放熱フィン20ｂを介して外部へ効率良く放熱することができる。
【００２６】
上記においては、環型（サークライン型）のＬＥＤ灯10を例示して説明したが、本発明はこれに限定されるものではなく、要するに、複数のＬＥＤを配置したＬＥＤ基板と、上記ＬＥＤを点灯駆動する駆動回路部を備え、上記ＬＥＤ基板を透光性のカバー部材で被覆して成るＬＥＤ灯であれば、直型のＬＥＤ灯を含めて適用可能である。
【００２７】
上記駆動回路部24は、図１１に示すように、平常時用駆動回路部Ａと停電時用駆動回路部Ｂを備えており、平常時用駆動回路部Ａは、入力フィルタ32、整流部34、定電流制御部36、トランス（変圧器）38、整流部40、平滑部42を有している。一方、停電時用駆動回路部Ｂは、入力フィルタ44、定電圧制御部46、整流部48を有している。
【００２８】
平常時用駆動回路部Ａにおいては、ＡＣ１００Ｖの商用交流電源50から供給される交流電流を、入力フィルタ32でフィルタ処理してノイズを除去した後、ダイオードブリッジより成る整流部34で整流する。
【００２９】
上記整流部34で整流された直流電流は、制御ＩＣを有する定電流制御部36に入力され、該定電流制御部36は、直列接続された複数個のＬＥＤ18に供給される電流が所定値の電流（例えば300mA）となるよう制御する。
また、上記トランス38は、直列接続された複数個のＬＥＤ18に供給される駆動電圧が所定値の電圧（例えば30V）となるよう交流電源を変圧（降圧）する。
【００３０】
上記トランス38の出力電流は交流となるため、ダイオードブリッジより成る整流部40で直流に整流した後、平滑コンデンサを有する平滑部42で平滑した上でＬＥＤ18に供給するのである。
【００３１】
一方、停電時用駆動回路部Ｂにおいては、非常用バッテリーである直流電源52（例えばDC6V）から供給される直流電流を、入力フィルタ44でフィルタ処理してノイズを除去した後、定電圧制御部46に出力する。
【００３２】
定電圧制御部46は、直流電源52の電圧を、ＬＥＤ18駆動用の所定値の電圧（例えば30V）にスイッチング方式で変換して出力するものである。図１１に示すように、定電圧制御部46には、平常時用駆動回路部ＡのＬＥＤ駆動電圧の電圧値がフィードバックされるようになっており、定電圧制御部46は、フィードバックされた平常時用駆動回路部ＡのＬＥＤ駆動電圧の電圧値と、予め設定されている電圧値とを比較し、平常時用駆動回路部ＡのＬＥＤ駆動電圧の電圧値が設定電圧値より小さい場合に、ＬＥＤ18駆動用の所定値の電圧を出力する。
【００３３】
上記定電圧制御部46の出力電流（交流又は脈流）はダイオードブリッジより成る整流部48で直流に整流される。
上記整流部48で整流された直流電流は、図１１に示すように、平常時用駆動回路部Ａを構成する平滑部42に出力され、該平滑部42で平滑された後、ＬＥＤ18に供給されるのである。尚、平常時用駆動回路部Ａにはダイオードブリッジより成る整流部40があるため、停電時用駆動回路部Ｂの直流電流が、平常時用駆動回路部Ａの整流部40側に回り込むことはなく、同様に、停電時用駆動回路部Ｂにはダイオードブリッジより成る整流部48があるため、平常時用駆動回路部Ａの直流電流が、停電時用駆動回路部Ｂの整流部40側に回り込むこともない。
【００３４】
本発明に係る環型ＬＥＤ灯10にあっては、駆動回路部24を構成する停電時用駆動回路部Ｂの定電圧制御部46を、平常時用駆動回路部ＡのＬＥＤ駆動電圧の電圧値が設定電圧値より小さい場合に、ＬＥＤ18駆動用の電圧を出力するよう構成した。
従って、停電時用駆動回路部Ｂの定電圧制御部46の設定電圧値を、平常時用駆動回路部ＡのＬＥＤ駆動電圧の電圧値より低い所定値に設定しておくことにより、通常時は平常時用駆動回路部Ａからの駆動電圧でＬＥＤ18を発光させることができると共に、停電時に平常時用駆動回路部ＡのＬＥＤ駆動電圧が急低下して上記設定電圧値を下回ると、停電時用駆動回路部Ｂから駆動電圧が出力されてＬＥＤ18を発光させることができる。この結果、停電を検出する回路部を別途設けることなく、停電時にも環型ＬＥＤ灯10を点灯駆動させることができる。
【００３５】
また、本発明に係る環型ＬＥＤ灯10の駆動回路部24は、停電時用駆動回路部Ｂの整流部48で整流した直流電流を、平常時用駆動回路部Ａの平滑部42に出力するよう構成し、単一の平滑部42を平常時用駆動回路部Ａ及び停電時用駆動回路部Ｂで共用しているので、部品点数の減少及び小型化を実現することができる。
【００３６】
尚、停電時用駆動回路部Ｂにおける上記定電圧制御部46に代えて、図１２に示すように、定電流制御部54を用いても良い。図１２において、56は電流検出用の抵抗である。
上記定電流制御部54は、直列接続された複数個のＬＥＤ18を駆動する所定値の電流を出力するものである。
図１２に示すように、定電流制御部54には、平常時用駆動回路部ＡのＬＥＤ駆動電流の電流値がフィードバックされるようになっており、定電流制御部54は、フィードバックされた平常時用駆動回路部ＡのＬＥＤ駆動電流の電流値と、予め設定されている電流値とを比較し、平常時用駆動回路部ＡのＬＥＤ駆動電流の電流値が設定電流値より小さい場合に、ＬＥＤ18駆動用の所定値の電流を出力するのである。
【００３７】
図１２に示す駆動回路部24を有する環型ＬＥＤ灯10にあっては、駆動回路部24を構成する停電時用駆動回路部Ｂの定電流制御部54を、平常時用駆動回路部ＡのＬＥＤ駆動電流の電流値が設定電流値より小さい場合に、ＬＥＤ18駆動用の電流を出力するよう構成した。
従って、停電時用駆動回路部Ｂの定電流制御部54の設定電流値を、平常時用駆動回路部ＡのＬＥＤ駆動電流の電流値より低い所定値に設定しておくことにより、通常時は平常時用駆動回路部Ａからの駆動電流でＬＥＤ18を発光させることができると共に、停電時に平常時用駆動回路部ＡのＬＥＤ駆動電流が急低下して上記設定電流値を下回ると、停電時用駆動回路部Ｂから駆動電流が出力されてＬＥＤ18を発光させることができる。この結果、停電を検出する回路部を別途設けることなく、停電時にも環型ＬＥＤ灯10を点灯駆動させることができる。
【００３８】
また、図１２に示す駆動回路部24も、図１１の駆動回路部24と同じく、停電時用駆動回路部Ｂの整流部48で整流した直流電流を、平常時用駆動回路部Ａの平滑部42に出力するよう構成し、単一の平滑部42を平常時用駆動回路部Ａ及び停電時用駆動回路部Ｂで共用しているので、部品点数の減少及び小型化を実現することができる。
【符号の説明】
【００３９】
10    環型ＬＥＤ灯
12    前面カバー
14    背面カバー
16    ＬＥＤ基板
18    ＬＥＤ
20    放熱部材
20ａ  放熱基板
20ｂ  放熱フィン
20ｃ  凹溝
22    電子部品
24    駆動回路部
26    回路基板
27    端子ピン
28    熱拡散部材
Ａ    平常時用駆動回路部
32    入力フィルタ
34    整流部
36    定電流制御部
38    トランス
40    整流部
42    平滑部
Ｂ    停電時用駆動回路部
44     入力フィルタ
46    定電圧制御部
48    整流部
50    交流電源
52    直流電源
54    定電流制御部
56    抵抗
【図１】
2015144069.tif 000003
【図２】
2015144069.tif 000004
【図３】
2015144069.tif 000005
【図４】
2015144069.tif 000006
【図５】
2015144069.tif 000007
【図６】
2015144069.tif 000008
【図７】
2015144069.tif 000009
【図８】
2015144069.tif 000010
【図９】
2015144069.tif 000011
【図１０】
2015144069.tif 000012
【図１１】
2015144069.tif 000013
【図１２】
2015144069.tif 000014